(57)【特許請求の範囲】
【請求項１】
車両のインストルメントパネルの運転席側の片隅部に設けられたサイドウィンドデフロスターの吹出し口に着脱可能に取り付ける車載物品用ホルダーの取付具であって、
車載物品用ホルダーとの連結部を設けたベースフレームの一端と他端に可撓性を有するサイドフレームを設け、
両サイドフレームの中間部を連結プレートで連結し、
各サイドフレームの先端部に掛止爪を形成し、
サイドウィンドデフロスターの吹出し口に両サイドフレームを，サイドウィンドに向けて送風するため吹き出し口に内設されている第１ルーバーフィンの間を通して差し込み、
差し込んだ両サイドフレームの掛止爪を吹き出し口の内端部に掛止して、吹き出し口に脱落不能に装着することを特徴とする車載物品用ホルダーの取付具。
【請求項２】
吹き出し口から取り外すときは、連結プレートをベースフレーム側へ指で撓ませ、これにより両サイドフレームを内側へ撓ませて掛止爪を吹き出し口の内端部から外すようにしたことを特徴とする請求項１に記載の車載物品用ホルダーの取付具。
【請求項３】
少なくとも一方のサイドフレームの先端部に補助掛止爪を設け、
両サイドフレームを前記吹き出し口に差し込んだとき、
前記第１ルーバーフィンに向けて送風するため第１ルーバーフィンの奥側に設けられている第２ルーバーフィンに補助爪が掛止することにより吹出し口に横ずれ不能に装着するようにしたことを特徴とする請求項１に記載の車載物品用ホルダーの取付具。
【請求項４】
ベースフレームと両サイドフレームでベースフレームの一側に送風開口を区画形成するとともに、ベースフレームの他側に空気導入開口を区画形成したことを特徴する請求項１に記載の車載物品用ホルダーの取付具。
【発明の詳細な説明】
【技術分野】
【０００１】
本発明は車載物品用ホルダーの取付具の取付方法及び車載物品用ホルダーの取付具に関し、より詳しくは車載物品用ホルダーの取付具を車両のインストルメントパネルに取り付ける取付方法及びインストルメントパネルに取り付けるに好適な車載物品用ホルダーの取付具に関する。
【背景技術】
【０００２】
車載物品用ホルダーの取付具の一形式として、特許第５７４０５８５号公報にはカップホルダーやスマートフォンホルダーを車両のインストルメントパネルに取り付ける取付具が開示されている。
【０００３】
図１２に示すように、車両のインストルメントパネル１には通常、中央部と左右両サイドにエアコンの吹出し口２が設けられ、助手席側と運転席側の片隅部にサイドウィンドデフロスターの吹出し口３が設けられている。
上記した従来の取付具はエアコンの吹出し口２に内設されているルーバーフィンに掛止することで吹き出し口２に着脱可能に取り付けられる。
【先行技術文献】
【特許文献】
【０００４】
【特許文献１】特許第５７４０５８５号公報
【発明の概要】
【発明が解決しようとする課題】
【０００５】
従来の車載物品用ホルダーの取付具はエアコン吹出し口２に取り付けるため、エアコンから運転席や助手席への送風が取付具や取付具に装着した車載物品用ホルダーで遮られてしまう。
また、インストルメントパネル１の中央部に設けたエアコン吹出し口２に取付具で車載物品用ホルダー、例えば図１１に示すスマートフォンホルダー４を取り付けた場合、インストルメントパネル１の中央部に設けられたディスプレイ５等を見る運転者の視線がスマートフォンホルダー４で遮られるので、使い勝手が悪い。
【０００６】
本発明はかかる点に鑑み、エアコン吹出し口からの送風が遮られることなく、またインストルメントパネルの中央部に設けられたディスプレイ等を見る運転者の視線が車載物品用ホルダーで遮られることのない車載物品用ホルダーの取付具を提供することを目的とする。
【課題を解決するための手段】
【０００７】
請求項１に記載の発明は、車両のインストルメントパネルの運転席側の片隅部に設けられたサイドウィンドデフロスターの吹出し口に着脱可能に取り付ける車載物品用ホルダーの取付具であって、
車載物品用ホルダーとの連結部を設けたベースフレームの一端と他端に可撓性を有するサイドフレームを設け、
両サイドフレームの中間部を連結プレートで連結し、
各サイドフレームの先端部に掛止爪を形成し、
サイドウィンドデフロスターの吹出し口に両サイドフレームを，サイドウィンドに向けて送風するため吹き出し口に内設されている第１ルーバーフィンの間を通して差し込み、
差し込んだ両サイドフレームの掛止爪を吹き出し口の内端部に掛止して、吹き出し口に脱落不能に装着することを特徴とする。
【０００８】
そして、好ましくは、吹き出し口から取り外すときは、連結プレートをベースフレーム側へ指で撓ませ、これにより両サイドフレームを内側へ撓ませて掛止爪を吹き出し口の内端部から外すようにしたことを特徴とする。
【０００９】
そして、好ましくは、少なくとも一方のサイドフレームの先端部に補助掛止爪を設け、
両サイドフレームを前記吹き出し口に差し込んだとき、
前記第１ルーバーフィンに向けて送風するため第１ルーバーフィンの奥側に設けられている第２ルーバーフィンに補助爪が掛止することにより吹出し口に横ずれ不能に装着するようにする。
【００１０】
また、好ましくはベースフレームと両サイドフレームでベースフレームの一側に送風開口を区画形成するとともに、ベースフレームの他側に空気導入開口を区画形成する。
【発明の効果】
【００１１】
一般に、車両のインストルメントパネルにはエアコン吹出し口とは別に、左右の片隅部にサイドウィンドデフロスターの吹出し口が設けられている。サイドウィンドデフロスターの吹出し口にはサイドウィンドに向けて送風されるようにルーバーフィンが内設されている。エアコン吹出し口のルーバーフィンは送風方向を調節できるように可動であるが、サイドウィンドデフロスターの吹出し口のルーバーフィンは送風が専らサイドウィンドに向かうように所定の角度で吹出し口に固定されている。
【００１２】
従来、車載物品用ホルダーの取付具は専らエアコン吹出し口に取り付けられ、サイドウィンドデフロスターの吹出し口に取り付けられることは無かったが、本発明の発明者は車載物品用ホルダーの取付具の取付箇所としてエアコン吹出し口でなく、運転席側のサイドウィンドデフロスターの吹出し口に着目した。
【００１３】
本発明によれば、サイドウィンドデフロスターの吹出し口に車載物品用ホルダーの取付具を取り付けるので、エアコン吹出し口の送風が取付具や、車載物品用ホルダーで送風が遮られることはない。そして、サイドウィンドデフロスターの吹出し口からの送風は取付け角度固定のルーバーフィンでサイドウィンドに向けられているので、サイドウィンドデフロスターの吹出し口に取付具を取り付けてもサイドウィンドへの送風が取付具で遮られることもない、
また、サイドウィンドのごく近くに車載物品用ホルダーを設置できるので、インストルメントパネルの中央部に設けられたディスプレイ等を見る運転者の視線が車載物品用ホルダーで遮られることもない。
【図面の簡単な説明】
【００１４】
【図１】本発明の一実施例係る車載物品用ホルダーの取付具を示す斜視図である。
【図２】同取付具を示す他の斜視図である。
【図３】同車載物品用ホルダーの取付具を示す縦断断面図である。
【図４】サイドウィンドデフロスターの吹出し口を示す分解斜視図である。
【図５】同取付具を取り付けたサイドウィンドデフロスターの吹出し口を示す斜視図である。
【図６】同取付具を取り付けたサイドウィンドデフロスターの吹出し口を示す他の斜視図である。
【図７】サイドウィンドデフロスターの吹出し口に同取付具を取り付けた車両のインストルメントパネルを示す正面図である。
【図８】図７のＡ−Ａ線から切断した断面図である。
【図９】同取付具の連結プレートと掛止爪の関係を示す説明図である。
【図１０】同取付具の連結プレートと補助掛止爪の関係を示す説明図である。
【図１１】スマートフォンホルダーを示す斜視図である。
【図１２】車両のインストルメントパネルを示す正面図である。
【実施例】
【００１５】
以下に本発明を図面に基づき説明する。図１〜図３には本発明の一実施例に係る車載物品用ホルダーの取付具１０が示されている。当該車載物品用ホルダーの取付具１０は図１１に示すスマートフォンホルダー４を図１２に示す車両のインストルメントパネル１の運転席側の片隅部に設けられているサイドウィンドデフロスターの吹出し口３に取り付けるための樹脂成型品であり、ベースフレーム１１と、ベースフレーム１１の一端と他端のそれぞれに屈曲して設けたサイドフレーム１２，１３を備え、ベースフレーム１１と両サイドフレーム１２，１３でベースフレーム１１の一側に送風開口１０ａが形成され、他側に空気導入開口１０ｂが形成されている。
【００１６】
ベースフレーム１１にはスマートフォンホルダー用の連結部１４が設けられている。この連結部１４の先端部にＬ型フック１５が設けられている。Ｌ型フック１５をスマートフォンホルダー４の係合溝４ａに係合することによりスマートフォンホルダー４が取付具１０に着脱可能に取り付けられる。
【００１７】
一方のサイドフレーム１２はベースフレーム１１の一端から屈曲する屈曲部１２ａと、屈曲部１２ａに垂設した差し込み部１２ｂから成り、差し込み部１２ｂの先端に掛止爪１２ｃが設けられている。同様に他方のサイドフレーム１３も屈曲部１３ａと差し込み部１３ｂから成り、差し込み部１３ｂの先端に掛止爪１３ｃが設けられている。両サイドフレーム１２，１３はその中間部が連結プレート１６で連結されている。両サイドフレーム１２，１３は可撓性を有する。連結プレート１６を指でベースフレーム１１側へ押圧すると、それぞれが内側に撓むので両サイドフレーム１２，１３の掛止爪１２ｃ，１３ｃの間隔が狭まる。
【００１８】
両サイドフレーム１２，１３の差し込み部１２ｂ，１３ｂの先端部には差し込み部１２ｂ，１３ｂに比べて細い差し込み片１２ｄ，１３ｄが設けられている。一方の差し込み片１２ｄの先端には補助掛止爪１２ｅが設けられている。
【００１９】
本実施例に係る車載物品用ホルダーの取付具１０の構成は以上の通りであって、以下にその使用方法を説明する。
運転席側の片隅部に設けられているサイドウィンドデフロスターの吹出し口３には図４に示すように、送風をサイドウィンド６に向ける第１ルーバーフィン３ａが列設されている。また、吹出し口に３にはダクト７が接続され、ダクト７内に送風を第１ルーバーフィン３ａに送風を向ける第２ルーバーフィン７ａが列設されている。第１ルーバーフィン３ａ、第２ルーバーフィン７ａはいずれも送風がサイドウィンド６に向くように所定の取付け角度で固定されている。
【００２０】
図５、６，７、８に示すように、車載物品用ホルダーの取付具１０は、差し込み部１２ｂ，１３ｂをサイドウィンドデフロスター３の第１ルーバーフィン３ａの間を通して吹出し口３に差し込み、差し込んだ両サイドフレーム１２，１３の掛止爪１２ｃ，１３ｃを吹き出し口３の内端部３ｂに掛止するとともに、補助掛止爪１２ｅを第２ルーバーフィン７ａに掛止する。
取付具１０は掛止爪１２ｃ，１３ｃによって吹出し口３から脱落しないように、かつ補助掛止爪１２ｅによって横ずれしないように吹出し口３に装着される。
【００２１】
取付具１０を取り外すときは、図９に示すように、連結プレート１６をベースフレーム１１側へ指で撓ませる。これにより両サイドプレート１２，１３が内側へ撓むので、掛止爪１２ｃ，１３ｃが吹き出し口３の内端部３ｂから外れるとともに、図１０に示すように補助掛止爪１２ｅが第２ルーバーフィン７ａから外れるので、取付具１０を吹出し口３から取り外すことができる。
【００２２】
本実施例によれば、サイドウィンドデフロスターの吹出し口３にスマートフォンホルダー４の取付具１０を取り付けるので、エアコン吹出し口２の送風が取付具１０や、スマートフォンホルダー４で遮られることはない。そして、サイドウィンドデフロスターの吹出し口３からの送風は取付け角度固定のルーバーフィン３ａ，７ａでサイドウィンド６に向けられているので、サイドウィンドデフロスターの吹出し口３に取付具１０を取り付けてもサイドウィンド６への送風が取付具１０で遮られることもない。
また、サイドウィンド６のごく近くにスマートフォンホルダー４を設置できるので、インストルメントパネル１の中央部に設けられたディスプレイ５等を見る運転者の視線がスマートフォンホルダー４で遮られることもない。
【００２３】
取付具１０を吹出し口３から取り外すとき、連結プレート１６を指で押さえれば掛止爪１２ｃが吹出し口３の内端部３ｂから外れ、補助掛止爪１２ｅも第２ルーバーフィン７ａから外れるので、取り外しが容易に実施できる。
【００２４】
ベースフレーム１１の一側に送風開口１０ａを区画形成するとともに、ベースフレーム１１の他側に空気導入開口１０ｂを区画形成したので、吹出し口３からの送風に伴い、周囲の空気が空気導入開口１０ｂから取付具１０の内部に巻き込まれ、送風開口１０ａからサイドウィンド６に吹き付けられ、サイドウィンド６の曇り止め効果が向上する。
【符号の説明】
【００２５】
１…インストルメントパネル
３…サイドウィンドデフロスターの吹出し口
３ａ…第１ルーバーフィン
３ｂ…サイドウィンドデフロスターの吹出し口の内端部
６…サイドウィンド
７…ダクト
７ａ…第２ルーバーフィン
１０…車載物品用ホルダーの取付具
１０ａ…送風開口
１０ｂ…空気導入開口
１１…ベースフレーム
１２，１３…サイドフレーム
１２ｃ，１３ｃ…掛止爪
１２ｅ…補助掛止爪
１４…連結部
１６…連結プレート
【図１】
0006962590.tif 000002
【図２】
0006962590.tif 000003
【図３】
0006962590.tif 000004
【図４】
0006962590.tif 000005
【図５】
0006962590.tif 000006
【図６】
0006962590.tif 000007
【図７】
0006962590.tif 000008
【図８】
0006962590.tif 000009
【図９】
0006962590.tif 000010
【図１０】
0006962590.tif 000011
【図１１】
0006962590.tif 000012
【図１２】
0006962590.tif 000013